(57)【要約】【課題】限られた画面領域内で複数の機能に関する設定を行うことができる電子機器装置及びその機能設定方法を提供する。【解決手段】信号解析装置１は、ＡＴＴ１１、表示装置３０、制御装置４０を備え、表示装置３０は、画像を表示する画像表示部３１ｂと、タッチセンサ３２ａを有するタッチパネル３２と、を備え、制御装置４０は、タッチセンサ３２ａの検知結果に基づいてタッチパネル３２におけるユーザの操作を検出する操作検出部４１と、スライドトグルスイッチの画像を画像表示部３１ｂに表示するＳＷ画像表示部４２と、各種機能に関する設定情報を設定する設定情報設定部４３と、ＡＴＴ１１の減衰量を設定するＡＴＴ設定部４４と、を備え、設定情報設定部４３が、ＡＴＴ１１を自動で設定する自動設定モード及びＡＴＴ１１を手動で設定する手動設定モードの設定情報のうちの一方を設定する構成を有する。【選択図】図１
2014229259.tif 000002
【特許請求の範囲】
【請求項１】
第１及び第２の機能を含む複数の機能を有する電子機器装置（１）であって、
画像を表示する画像表示部（３１ｂ）を有する表示パネル（３１）と、
前記画像表示部の表面に設けられユーザによるタッチ操作を検知するタッチセンサ（３２ａ）を有するタッチパネル（３２）と、
前記第１の機能の設定情報の表示と前記第２の機能の設定情報の表示とを前記タッチ操作に応じて交互に切り替える切替スイッチ（５０）の画像を前記画像表示部に表示する切替スイッチ画像表示手段（４２）と、
前記第１の機能の設定情報が前記画像表示部に表示されていることを条件に前記第１の機能の設定情報を設定し、前記第２の機能の設定情報が前記画像表示部に表示されていることを条件に前記第２の機能の設定情報を設定する設定情報設定手段（４３）と、
を備え、
前記切替スイッチの画像は、
第１の方向及び前記第１の方向とは逆の第２の方向のいずれか一方にスライドし前記第１及び前記第２の機能の設定情報が表示されたスライド部（５１）と、
前記スライド部に表示された前記第１及び前記第２の機能の設定情報のいずれか一方を前記画像表示部の所定の枠内に表示する枠内表示部（５２）と、
を備えた切替スイッチの画像であり、
前記設定情報設定手段は、前記第１及び前記第２の機能の設定情報のうち前記枠内表示部に表示された設定情報を設定するものであることを特徴とする電子機器装置。
【請求項２】
前記切替スイッチの画像において、前記スライド部は、前記第１及び前記第２の機能の設定情報がそれぞれ表示された第１及び第２の表示エリア（５１ａ、５１ｂ）を有し、前記第１の機能の名称及び設定値の少なくともいずれか一方を前記第１の表示エリアに表示し、前記第２の機能の名称及び設定値の少なくともいずれか一方を前記第２の表示エリアに表示するものであることを特徴とする請求項１に記載の電子機器装置。
【請求項３】
前記切替スイッチの画像において、前記スライド部は、前記第１及び前記第２の機能の設定情報として互いに排他的な機能の設定情報を前記第１及び前記第２の表示エリアにそれぞれ表示するものであることを特徴とする請求項２に記載の電子機器装置。
【請求項４】
前記第１の表示エリアと前記第２の表示エリアとが識別表示されたものであることを特徴とする請求項２又は請求項３に記載の電子機器装置。
【請求項５】
前記切替スイッチの画像は、前記第１の表示エリアと前記第２の表示エリアとに挟持されたエリアに設けられ前記スライド部を前記第１及び前記第２の方向のいずれか一方にスライドさせるスライドノブ（５１ｃ）をさらに備えた切替スイッチの画像であることを特徴とする請求項２から請求項４までのいずれか１項に記載の電子機器装置。
【請求項６】
画像を表示する画像表示部（３１ｂ）を有する表示パネル（３１）と、前記画像表示部の表面に設けられユーザによるタッチ操作を検知するタッチセンサ（３２ａ）を有するタッチパネル（３２）と、を備え、第１及び第２の機能を含む複数の機能を有する電子機器装置（１）の機能設定方法であって、
前記第１の機能の設定情報の表示と前記第２の機能の設定情報の表示とを前記タッチ操作に応じて交互に切り替える切替スイッチ（５０）の画像を前記画像表示部に表示する切替スイッチ画像表示ステップ（Ｓ１１）と、
前記第１の機能の設定情報が前記画像表示部に表示されていることを条件に前記第１の機能の設定情報を設定し、前記第２の機能の設定情報が前記画像表示部に表示されていることを条件に前記第２の機能の設定情報を設定する設定情報設定ステップ（Ｓ１７）と、
を含み、
前記切替スイッチの画像は、
第１の方向及び前記第１の方向とは逆の第２の方向のいずれか一方にスライドし前記第１及び前記第２の機能の設定情報が表示されたスライド部（５１）と、
前記スライド部に表示された前記第１及び前記第２の機能の設定情報のいずれか一方を前記画像表示部の所定の枠内に表示する枠内表示部（５２）と、
を備えた切替スイッチの画像であり、
前記設定情報設定ステップにおいて、前記第１及び前記第２の機能の設定情報のうち前記枠内表示部に表示された設定情報を設定することを特徴とする電子機器装置の機能設定方法。
【発明の詳細な説明】
【技術分野】
【０００１】
本発明は、複数の機能を有する電子機器装置及びその機能設定方法に関する。
【背景技術】
【０００２】
従来、この種の電子機器装置としては、例えば、特許文献１記載の測定パラメータ入力制御装置が知られている。
【０００３】
特許文献１記載のものは、測定パラメータ情報の内容を識別し、この測定パラメータ情報に応じたパラメータ設定ソフトキーを構築するためのソフトキー構築情報を出力するパラメータ識別部と、ソフトキー構築情報に基づき、取得した測定パラメータ情報に応じたパラメータ設定ソフトキーを構築するソフトキー制御手段と、を備えている。
【０００４】
ここで、パラメータ設定ソフトキーは、少なくともテンキーが表示された第１のソフトキーと、上下カーソルキーが表示された第２のソフトキーとで構成され、ユーザが各ソフトキーの所定箇所に設けられた表示切替キーを操作することで、相互に表示切替可能な構成となっている。
【０００５】
前述の構成により、特許文献１記載のものは、測定パラメータの値を変更する際に、その操作状況に応じて第１のソフトキーと第２のソフトキーとを表示画面上の所定位置にて自由に切り替え可能であるため、ユーザの操作性を向上させるようになっている。
【先行技術文献】
【特許文献】
【０００６】
【特許文献１】特開２０１１−１８０１２７号公報
【発明の概要】
【発明が解決しようとする課題】
【０００７】
しかしながら、特許文献１記載のものでは、１つのソフトキーで１つの機能の設定しかできないので、近年のより多機能が要求される装置では各機能に関する設定が煩雑となってしまうため、限られた画面領域内で複数の機能に関する設定を行うことができる装置が求められていた。
【０００８】
本発明は、前述のような事情に鑑みてなされたものであり、限られた画面領域内で複数の機能に関する設定を行うことができる電子機器装置及びその機能設定方法を提供することを目的とする。
【課題を解決するための手段】
【０００９】
本発明の請求項１に係る電子機器装置は、第１及び第２の機能を含む複数の機能を有する電子機器装置（１）であって、画像を表示する画像表示部（３１ｂ）を有する表示パネル（３１）と、前記画像表示部の表面に設けられユーザによるタッチ操作を検知するタッチセンサ（３２ａ）を有するタッチパネル（３２）と、前記第１の機能の設定情報の表示と前記第２の機能の設定情報の表示とを前記タッチ操作に応じて交互に切り替える切替スイッチ（５０）の画像を前記画像表示部に表示する切替スイッチ画像表示手段（４２）と、前記第１の機能の設定情報が前記画像表示部に表示されていることを条件に前記第１の機能の設定情報を設定し、前記第２の機能の設定情報が前記画像表示部に表示されていることを条件に前記第２の機能の設定情報を設定する設定情報設定手段（４３）と、を備え、前記切替スイッチの画像は、第１の方向及び前記第１の方向とは逆の第２の方向のいずれか一方にスライドし前記第１及び前記第２の機能の設定情報が表示されたスライド部（５１）と、前記スライド部に表示された前記第１及び前記第２の機能の設定情報のいずれか一方を前記画像表示部の所定の枠内に表示する枠内表示部（５２）と、を備えた切替スイッチの画像であり、前記設定情報設定手段は、前記第１及び前記第２の機能の設定情報のうち前記枠内表示部に表示された設定情報を設定するものである構成を有している。
【００１０】
この構成により、本発明の請求項１に係る電子機器装置は、切替スイッチ画像表示手段が、第１及び第２の機能の設定情報が表示されたスライド部と、スライド部に表示された第１及び第２の機能の設定情報のいずれか一方を所定の枠内に表示する枠内表示部と、を備えた切替スイッチの画像を表示し、設定情報設定手段が、第１及び第２の機能の設定情報のうち枠内表示部に表示された設定情報を設定するので、第１及び第２の機能の設定情報を切り替えて画面領域内に表示することができる。したがって、本発明の請求項１に係る電子機器装置は、限られた画面領域内で複数の機能に関する設定を行うことができる。
【００１１】
本発明の請求項２に係る電子機器装置は、前記切替スイッチの画像において、前記スライド部は、前記第１及び前記第２の機能の設定情報がそれぞれ表示された第１及び第２の表示エリア（５１ａ、５１ｂ）を有し、前記第１の機能の名称及び設定値の少なくともいずれか一方を前記第１の表示エリアに表示し、前記第２の機能の名称及び設定値の少なくともいずれか一方を前記第２の表示エリアに表示するものである構成を有している。
【００１２】
この構成により、本発明の請求項２に係る電子機器装置は、設定情報設定手段が、第１及び第２の表示エリアに表示された機能の設定情報のいずれか一方を設定することができる。
【００１３】
本発明の請求項３に係る電子機器装置は、前記切替スイッチの画像において、前記スライド部は、前記第１及び前記第２の機能の設定情報として互いに排他的な機能の設定情報を前記第１及び前記第２の表示エリアにそれぞれ表示するものである構成を有している。
【００１４】
この構成により、本発明の請求項３に係る電子機器装置は、設定情報設定手段が、枠内表示部が、互いに排他的な機能の設定情報のいずれか一方を設定することができる。
【００１５】
本発明の請求項４に係る電子機器装置は、前記第１の表示エリアと前記第２の表示エリアとが識別表示されたものである構成を有している。
【００１６】
この構成により、本発明の請求項４に係る電子機器装置は、第１の表示エリアに表示された機能の設定情報と第２の表示エリアに表示された機能の設定情報とを識別表示してユーザにわかりやすく示すことができる。
【００１７】
本発明の請求項５に係る電子機器装置は、前記切替スイッチの画像は、前記第１の表示エリアと前記第２のエリアとに挟持された表示エリアに設けられ前記スライド部を前記第１及び前記第２の方向のいずれか一方にスライドさせるスライドノブ（５１ｃ）をさらに備えた切替スイッチの画像である構成を有している。
【００１８】
この構成により、本発明の請求項５に係る電子機器装置は、スライドノブをユーザに操作させて複数の機能の設定情報を設定させることができる。
【００１９】
本発明の請求項６に係る電子機器装置の機能設定方法は、画像を表示する画像表示部（３１ｂ）を有する表示パネル（３１）と、前記画像表示部の表面に設けられユーザによるタッチ操作を検知するタッチセンサ（３２ａ）を有するタッチパネル（３２）と、を備え、第１及び第２の機能を含む複数の機能を有する電子機器装置（１）の機能設定方法であって、前記第１の機能の設定情報の表示と前記第２の機能の設定情報の表示とを前記タッチ操作に応じて交互に切り替える切替スイッチ（５０）の画像を前記画像表示部に表示する切替スイッチ画像表示ステップ（Ｓ１１）と、前記第１の機能の設定情報が前記画像表示部に表示されていることを条件に前記第１の機能の設定情報を設定し、前記第２の機能の設定情報が前記画像表示部に表示されていることを条件に前記第２の機能の設定情報を設定する設定情報設定ステップ（Ｓ１７）と、を含み、前記切替スイッチの画像は、第１の方向及び前記第１の方向とは逆の第２の方向のいずれか一方にスライドし前記第１及び前記第２の機能の設定情報が表示されたスライド部（５１）と、前記スライド部に表示された前記第１及び前記第２の機能の設定情報のいずれか一方を前記画像表示部の所定の枠内に表示する枠内表示部（５２）と、を備えた切替スイッチの画像であり、前記設定情報設定ステップにおいて、前記第１及び前記第２の機能の設定情報のうち前記枠内表示部に表示された設定情報を設定する構成を有している。
【００２０】
この構成により、本発明の請求項６に係る電子機器装置の機能設定方法は、切替スイッチ画像表示ステップにおいて、第１及び第２の機能の設定情報が表示されたスライド部と、スライド部に表示された第１及び第２の機能の設定情報のいずれか一方を所定の枠内に表示する枠内表示部と、を備えた切替スイッチの画像を表示し、設定情報設定ステップにおいて、第１及び第２の機能の設定情報のうち枠内表示部に表示された設定情報を設定するので、第１及び第２の機能の設定情報を切り替えて画面領域内に表示することができる。したがって、本発明の請求項６に係る電子機器装置の機能設定方法は、限られた画面領域内で複数の機能に関する設定を行うことができる。
【発明の効果】
【００２１】
本発明は、限られた画面領域内で複数の機能に関する設定を行うことができるという効果を有する電子機器装置及びその機能設定方法を提供することができるものである。
【図面の簡単な説明】
【００２２】
【図１】本発明の第１実施形態における信号解析装置のブロック構成図である。
【図２】本発明の第１実施形態における信号解析装置が備える表示装置の外観図である。
【図３】本発明の第１実施形態における信号解析装置が備えるスライドトグルスイッチの画像を説明するための概念図である。
【図４】本発明の第１実施形態における信号解析装置が備えるＡＴＴの減衰量を設定する場合におけるスライドトグルスイッチの動作説明図である。
【図５】本発明の第１実施形態における信号解析装置が備えるＡＴＴの減衰量を設定する場合におけるスライドトグルスイッチの動作説明図である。
【図６】本発明の第１実施形態における信号解析装置において、ＡＴＴの減衰量設定における動作を示すフローチャートである。
【図７】本発明の第２実施形態における信号解析装置のブロック構成図である。
【図８】本発明の第２実施形態における信号解析装置が備えるトリガソース選択部及びゲートソース選択部がタッチパネルに表示する選択画面を示す図である。
【図９】本発明の第２実施形態における信号解析装置において、トリガソースが設定されている状態からゲートソースを設定する状態に変更する場合におけるスライドトグルスイッチの動作説明図である。
【図１０】本発明の第２実施形態における信号解析装置において、ゲートソースが設定されている状態からトリガソースを設定する状態に変更する場合におけるスライドトグルスイッチの動作説明図である。
【図１１】本発明の第２実施形態における信号解析装置において、トリガソース又はゲートソースの設定における動作を示すフローチャートである。
【発明を実施するための形態】
【００２３】
以下、本発明の実施形態について図面を用いて説明する。なお、本発明に係る電子機器装置を信号解析装置（例えば、スペクトラムアナライザ）に適用した例を挙げて説明する。
【００２４】
（第１実施形態）
図１に示すように、本実施形態における信号解析装置１は、ＡＴＴ（アッテネータ）１１、局部発振器１２、信号混合器１３、ＲＢＷ（Resolution Band Width）フィルタ１４、対数変換部１５、ＶＢＷ（Video Band Width）フィルタ１６、検波器１７、ＡＤＣ（アナログデジタルコンバータ）１８、データ記憶部１９、信号処理部２０、掃引部２１、表示装置３０、制御装置４０を備えている。
【００２５】
この信号解析装置１は、ＡＴＴ１１の減衰量を設定する機能や、局部発振器１２の発振周波数を設定する機能、ＲＢＷ１４のフィルタ特性を設定する機能等の複数の機能を有している。以下、信号解析装置１の信号解析処理に係る動作について説明する。
【００２６】
入力信号である高周波の被測定信号は、ＡＴＴ１１によって所定の信号レベルに減衰され、信号混合器１３で局部発振器１２からの局部発振信号と混合され、中間周波数を有する中間周波数信号に変換される。
【００２７】
局部発振器１２の発振周波数は、掃引部２１により、所定の周波数範囲にわたって掃引される。これにより、信号混合器１３から出力される中間周波数信号の周波数も掃引動作に同期して変化する。
【００２８】
信号混合器１３より周波数が低下されて出力された中間周波数信号は次のＲＢＷフィルタ１４に入力される。このＲＢＷフィルタ１４は、アナログのバンドパスフィルタで構成されており、不要な周波数成分を除き、必要な中間周波数信号のみを選択する。
【００２９】
信号混合器１３から出力される中間周波数信号の周波数は掃引動作に同期して変化するので、ＲＢＷフィルタ１４から１掃引時間（掃引期間）内において時間経過と共に出力される出力信号は、中間周波数信号に変換された被測定信号の各周波数成分における時系列波形となる。
【００３０】
ＲＢＷフィルタ１４からの中間周波数信号は、対数変換部１５により信号レベルがデシベル単位に変換されて出力され、次のアナログのＶＢＷフィルタ１６に入力される。ＶＢＷフィルタ１６は、表示装置３０に最終的に表示される周波数スペクトラム波形の高周波成分（雑音成分）を除去して信号を出力する。ＶＢＷフィルタ１６から出力された信号は次の検波器１７によって検波される。
【００３１】
検波器１７では、ＶＢＷフィルタ１６から出力されたアナログの周波数スペクトラム波形における各時間軸位置のピーク値を検出し、包絡線検波された状態の最終的な周波数スペクトラム波形を得る。そして、掃引期間内に検波された信号は、掃引された周波数における時系列波形の大きさを示す。したがって、横軸を周波数、縦軸を振幅とすれば、周波数スペクトラム波形となる。
【００３２】
この周波数スペクトラム波形を示す信号は、次のＡＤＣ１８でデジタルデータに変換されデータ記憶部１９に蓄積される。データ記憶部１９に蓄積されたデジタルデータは、次の信号処理部２０で信号処理され、この信号処理の結果得られる周波数スペクトラム波形は表示装置３０に周波数ドメイン（横軸を周波数、縦軸を振幅）で表示される。
【００３３】
次に、表示装置３０の構成について説明する。表示装置３０は、信号波形や画像等を表示する表示パネル３１と、ユーザがタッチするタッチパネル３２と、を備えている。表示パネル３１は、信号処理部２０からの信号を表示する信号表示部３１ａと、所定の画像を表示する画像表示部３１ｂと、を備えている。タッチパネル３２は、画像表示部３１ｂの表面に設けられユーザによるタッチ操作を検知するタッチセンサ３２ａを備えている。なお、タッチパネル３２としては、例えば、人体の一部（指先等）や静電ペンなどの接触を検知して、その検知信号を制御装置４０に出力する静電容量方式のものであってもよく、又はペン先等の堅い物質の接触を検知してその検知信号を制御装置４０に出力する抵抗膜方式のものであってもよく、或いはその他の方式のものであってもよい。
【００３４】
この表示装置３０は、例えば図２に示す外観を有する。図２は、信号解析装置１が有する正面パネル１ａを示している。正面パネル１ａには、信号表示部３１ａ及び画像表示部３１ｂを含む表示パネル３１と、タッチパネル３２と、を備えた表示装置３０が設けられている。信号表示部３１ａには、例えば、信号処理部２０からの周波数スペクトラム波形が表示される。画像表示部３１ｂには、例えば、信号解析装置１の各機能を設定するためのスライドトグルスイッチの画像３２ｃ、各機能に関する設定値を入力するためのキーボード３２ｄが表示される。なお、キーボード３２ｄは、画像表示部３１ｂに常時又は必要時に表示される。
【００３５】
図１に戻り、制御装置４０の構成について説明する。制御装置４０は、タッチセンサ３２ａの検知結果に基づいてタッチパネル３２におけるユーザの操作を検出する操作検出部４１と、スライドトグルスイッチの画像を画像表示部３１ｂに表示するＳＷ（スイッチ）画像表示部４２と、各種機能に関する設定情報を設定する設定情報設定部４３と、ＡＴＴ１１の減衰量を設定するＡＴＴ設定部４４と、を備えている。なお、ＳＷ画像表示部４２は、本発明に係る切替スイッチ画像表示手段を構成する。また、設定情報設定部４３は、本発明に係る設定情報設定手段を構成する。
【００３６】
この制御装置４０は、例えば、図示しないＣＰＵ（Central Processing Unit）と、スライドトグルスイッチの画像表示及び操作処理を行うソフトウェアを含むプログラムが記憶されたＲＯＭ（Read Only Memory）と、ＲＡＭ（Random Access Memory）と、各種インタフェースが接続される入出力回路等を備えたマイクロコンピュータで構成されている。
【００３７】
次に、ＳＷ画像表示部４２が画像表示部３１ｂに表示するスライドトグルスイッチの画像について図３を用いて説明する。図３は、本実施形態におけるスライドトグルスイッチ５０の画像を説明するための概念図であって、ソフトウェアにより画像表示部３１ｂに画像で表示されるスライドトグルスイッチ５０の構成及び動作をわかりやすく説明するため、実際のスライドトグルスイッチに模して仮想的に説明する図である。なお、スライドトグルスイッチ５０は、本発明に係る切替スイッチを構成する。
【００３８】
図３（ａ）に示すように、スライドトグルスイッチ５０は、スライド部５１及び枠内表示部５２を仮想的に有している。スライド部５１は、機能Ａの設定情報を表示する表示エリア５１ａと、機能Ｂの設定情報を表示する表示エリア５１ｂと、表示エリア５１ａと表示エリア５１ｂとに挟持されたエリアに設けられたスライドノブ５１ｃと、を仮想的に備えている。枠内表示部５２は、その枠内に機能Ａの設定情報及び機能Ｂの設定情報のいずれか一方を画像表示部３１ｂに表示するようになっている。なお、表示エリア５１ａと表示エリア５１ｂは、例えば、互いに異なる色で着色して識別表示するのが好ましい。また、表示エリア５１ａ及び表示エリア５１ｂは、それぞれ、本発明に係る第１及び第２の表示エリアを構成する。
【００３９】
ここで、機能の設定情報は、その機能の名称（又はその略称や記号など）及びその機能の設定値の情報の少なくともいずれか一方を含む。本実施形態では、機能ＡがＡＴＴ１１の減衰量を設定する機能である場合、その機能Ａの名称を簡略化した名称として例えば「ＡＴＴ」の文字が表示エリア５１ａに表示され、その機能Ａの設定値として例えば「１０ｄＢ」の文字が表示エリア５１ａに表示される。
【００４０】
図３（ａ）において、枠内表示部５２は機能Ａの設定情報を表示しており、ユーザには押しボタンスイッチが画像表示部３１ｂに表示されているように見える。この表示状態で、ユーザが指先で枠内表示部５２の枠内をタッチすると、ユーザはスライド部５１が左方向に移動するイメージを受け取り、図３（ｂ）に示すように、枠内表示部５２内には機能Ｂの設定情報及びスライドノブ５１ｃが表示される。なお、枠内表示部５２の枠内のタッチ操作の検出に代えて、例えば、左方向にスライドする操作やフリックする操作を検出する構成としてもよい。
【００４１】
なお、図３（ａ）に示した表示状態でユーザが指先で枠内表示部５２内をタッチした場合に、枠内表示部５２及びその内部の表示エリア５１ａが押しボタンスイッチを押したような動作をして、その後に左方向に移動するイメージとなるよう構成してもよい。また、図３（ａ）に示した表示状態において、スライドノブ５１ｃが枠内表示部５２の右端に表示される構成としてもよい。
【００４２】
次に、さらに具体的にスライドトグルスイッチ５０の画像について図４を用いて説明する。図４は、ＡＴＴ１１の減衰量を設定する場合におけるスライドトグルスイッチ５０の動作説明図である。
【００４３】
ＡＴＴ１１の減衰量を設定する場合に、信号解析装置１は、自動設定モードで設定する機能と、手動設定モードで設定する機能と、を有しているものとする。自動設定モードは、制御装置４０のＡＴＴ設定部４４が予め定められた設定条件に基づいて自動的にＡＴＴ１１の減衰量を設定するモードである。手動設定モードは、ユーザが指先で画像表示部３１ｂに表示されたキーボード３２ｄを操作してＡＴＴ１１の減衰量を所望値に設定することができるモードである。
【００４４】
まず、ＡＴＴ１１の減衰量は初期値として、設定情報設定部４３により自動設定モードで１０ｄＢが設定されているものとする。この場合、枠内表示部５２内の表示エリア５１ａに「ＡＴＴ  １０ｄＢ」の文字が表示される（図４（ａ））。ここで、表示エリア５１ａは、ＡＴＴ１１の減衰量が自動モードで設定されていることを示す色、例えば緑色で着色されている。
【００４５】
次に、ユーザが指先で枠内表示部５２内をタッチすると（図４（ｂ））、スライドノブ５１ｃが右側から現れて左側に移動する（図４（ｃ））。すなわち、スライド部５１（図３参照）が右側から左側に向けて仮想的に移動する。なお、枠内表示部５２内をドラッグする構成や、フリックする構成としてもよい。
【００４６】
その結果、ＡＴＴ１１の減衰量を手動設定モードで設定する機能の設定情報を示す「Ｍａｎｕａｌ  ＡＴＴ」の文字が枠内表示部５２内に表示される（図４（ｄ））。ここで、表示エリア５１ｂは、ＡＴＴ１１の減衰量が手動設定モードで設定可能な状態を示す色、例えば青色で着色されている。すなわち、表示エリア５１ａと表示エリア５１ｂとが識別表示されることとなる。なお、スライドノブ５１ｃの色は、表示エリア５１ｂと同色でもよいし、他の任意の色でもよい。
【００４７】
図４（ｄ）に示した表示状態はユーザが指先を枠内表示部５２内から離しても維持される（図４（ｅ））。この図４（ｅ）に示した状態で、ユーザは所望の減衰量を設定可能である。ユーザは、画像表示部３１ｂの所定位置に表示されたキーボード３２ｄ（図２参照）を指先で操作して所望の減衰量の数値、例えば１２ｄＢを入力することにより、枠内表示部５２内に「ＡＴＴ  １２ｄＢ」の文字が表示される（図４（ｆ））。ここで設定された減衰量の設定値は、設定情報設定部４３によりＡＴＴ設定部４４を介してＡＴＴ１１に設定される。
【００４８】
次に、ＡＴＴ１１の減衰量が手動設定モードで設定されている状態から自動設定モードで設定される状態に戻す動作について図５を用いて説明する。
【００４９】
ＡＴＴ１１の減衰量が手動設定モードで設定されている状態において、枠内表示部５２内の表示エリア５１ｂに「ＡＴＴ  １２ｄＢ」の文字が青色の背景色で表示されているものとする（図５（ａ））。
【００５０】
ユーザが指先でスライドノブ５１ｃをタッチすると、「ＡＴＴ  １２ｄＢ」という文字表示が「Ｍａｎｕａｌ  ＡＴＴ」の文字表示に変化する（図５（ｂ））。この場合、「Ｍａｎｕａｌ  ＡＴＴ」の文字の背景色は青色のままであるが、文字色を図５（ａ）に示したものとは異なる色にしてもよい。なお、スライドノブ５１ｃのタッチに代えて、表示エリア５１ｂをドラッグする構成や、フリックする構成としてもよい。
【００５１】
続いて、ユーザが指先でスライドノブ５１ｃをタッチした状態で、右方向に移動（ドラッグ又はフリックなど）させていくと（図５（ｃ））、スライド部５１（図３参照）が左側から右側に向けて仮想的に移動し、表示エリア５１ａが枠内表示部５２内に現れて、ＡＴＴ１１の減衰量を自動設定モードで設定する機能の設定情報を示す「Ａｕｔｏ  ＡＴＴ」の文字が枠内表示部５２内の表示エリア５１ａに表示される（図５（ｄ））。ここで、表示エリア５１ａは、ＡＴＴ１１の減衰量が自動設定モードで設定される状態を示す色、例えば緑色で着色されている。
【００５２】
ユーザが指先を枠内表示部５２内から離すと、背景色は緑色のままで、「Ａｕｔｏ  ＡＴＴ」の文字表示が「ＡＴＴ  １０ｄＢ」の文字表示に変化する（図５（ｅ））。その結果、ユーザは、現在、ＡＴＴ１１の減衰量が自動設定モードで１０ｄＢに設定されていることを容易に認識することができる。ここで設定された減衰量の設定値は、設定情報設定部４３によりＡＴＴ設定部４４を介してＡＴＴ１１に設定される。
【００５３】
次に、本実施形態の信号解析装置１において、ＡＴＴ１１の減衰量設定における動作について図６を用いて説明する。
【００５４】
ＳＷ画像表示部４２は、スライドトグルスイッチ５０の画像を画像表示部３１ｂに表示する（ステップＳ１１）。
【００５５】
設定情報設定部４３は、ＡＴＴ設定部４４を介し、自動設定モードの予め定められたＡＴＴ値（１０ｄＢとする）をＡＴＴ１１に設定する（ステップＳ１２）。ＳＷ画像表示部４２は、枠内表示部５２内の表示エリア５１ａに表示する（ステップＳ１３）。具体的には、図４（ａ）に示した画像が画像表示部３１ｂに表示される。ここで、表示エリア５１ａは、ＡＴＴ１１の減衰量が自動モードで設定されていることを示す色である緑色で着色されている。
【００５６】
操作検出部４１は、タッチセンサ３２ａの検知結果に基づいてユーザが枠内表示部５２内をタッチしたか否かを判断する（ステップＳ１４）。
【００５７】
ステップＳ１４において、操作検出部４１が、ユーザが枠内表示部５２内をタッチしたと判断しなかった場合はステップＳ１４を繰り返す。
【００５８】
一方、ステップＳ１４において、操作検出部４１が、ユーザが枠内表示部５２内をタッチしたと判断した場合は、ＳＷ画像表示部４２は、手動設定モードである旨を表示する（ステップＳ１５）。
【００５９】
具体的には、ＳＷ画像表示部４２は、図４（ｃ）、（ｄ）に示したように、ＡＴＴ１１の減衰量を手動設定モードで設定する機能の設定情報を示す「Ｍａｎｕａｌ  ＡＴＴ」の文字を青色の背景色で枠内表示部５２内の表示エリア５１ｂに表示するとともに、スライドノブ５１ｃを表示する。スライドノブ５１ｃが表示されていることにより、ユーザは手動設定モードであることを容易に認識できる。また、ＳＷ画像表示部４２は、ユーザがＡＴＴ値を手動入力できるよう、画像表示部３１ｂの所定の位置にキーボード３２ｄの画像を表示する（図２参照）。
【００６０】
操作検出部４１は、スライドノブ５１ｃが右方向にドラッグされたか否かを判断する（ステップＳ１６）。
【００６１】
ステップＳ１６において、操作検出部４１が、スライドノブ５１ｃが右方向にドラッグされたと判断した場合は、ステップＳ１２に戻る。具体的には、図５（ｂ）〜（ｄ）に示したように、ユーザが指先でスライドノブ５１ｃを右方向にドラッグさせると、設定情報設定部４３は、ＡＴＴ設定部４４を介し、自動設定モードの予め定められたＡＴＴ値をＡＴＴ１１に設定し、ＳＷ画像表示部４２は、ＡＴＴ１１の減衰量が自動設定モードで１０ｄＢに設定される旨を示す「ＡＴＴ  １０ｄＢ」の文字を枠内表示部５２内の表示エリア５１ａに表示し、文字の背景色を緑色に戻す。
【００６２】
一方、ステップＳ１６において、操作検出部４１は、スライドノブ５１ｃが右方向にドラッグされたと判断しなかった場合は、キーボード３２ｄの操作によりＡＴＴ値が入力されたか否かを判断する（ステップＳ１７）。
【００６３】
ステップＳ１７において、操作検出部４１は、ＡＴＴ値が入力されたと判断しなかった場合はステップＳ１６に戻る。
【００６４】
一方、ステップＳ１７において、操作検出部４１が、ＡＴＴ値が入力されたと判断した場合は、設定情報設定部４３は、ＡＴＴ設定部４４を介し、キーボード３２ｄの操作により入力された手動設定モードのＡＴＴ値をＡＴＴ１１に設定する（ステップＳ１８）。具体的には、ユーザが指先でキーボード３２ｄを操作し、ＡＴＴ値として１２ｄＢを入力した場合は、ＡＴＴ設定部４４は、ＡＴＴ１１の減衰量を１２ｄＢに設定する制御信号をＡＴＴ１１に出力する。
【００６５】
ＳＷ画像表示部４２は、手動設定モードのＡＴＴ値の設定値を枠内表示部５２内に表示する（ステップＳ１９）。例えば、ＳＷ画像表示部４２は、ＡＴＴ値として１２ｄＢが設定された場合は、図４（ｆ）に示した画像を表示する。この画像には機能の名称を簡略化した「ＡＴＴ」の文字が表示されており、また、その文字の背景色から、ユーザは、現在の設定がＡＴＴ１１の減衰量を手動で設定可能な手動設定モードであることと、ＡＴＴ１１の減衰量が１２ｄＢであることを容易に認識することができる。
【００６６】
以上のように、本実施形態における信号解析装置１は、ＳＷ画像表示部４２が、ＡＴＴ１１の減衰量を設定するための自動設定モード及び手動設定モードの設定情報が表示されたスライド部５１と、スライド部５１に表示された自動設定モード及び手動設定モードの設定情報のいずれか一方を所定の枠内に表示する枠内表示部５２と、を備えたスライドトグルスイッチ５０の画像を表示し、設定情報設定部４３が、自動設定モード及び手動設定モードの設定情報のうち枠内表示部５２に表示された設定情報を設定する構成としたので、自動設定モード及び手動設定モードの設定情報を切り替えて画面領域内に表示することができる。したがって、本実施形態における信号解析装置１は、限られた画面領域内で複数の機能に関する設定を行うことができる。
【００６７】
なお、前述の実施形態では、本発明に係る電子機器装置を信号解析装置１に適用した例を挙げて説明したが、本発明はこれに限定されるものではなく、画面に表示され２つの機能を切り替える切替スイッチの画像を用いて複数の機能の設定情報を切り替えるもの（例えば、携帯端末装置）に適用でき、同様の効果が得られる。
【００６８】
（第２実施形態）
図７に示すように、本実施形態における信号解析装置２は、第１実施形態における信号解析装置１の制御装置４０（図１参照）に代えて制御装置６０を備えたものである。したがって、信号解析装置１と同様な構成には同一の符号を付してその説明を省略する。
【００６９】
制御装置６０は、トリガソース選択部６１、ゲートソース選択部６２、ソース設定部６３を備えている。
【００７０】
トリガソース選択部６１は、トリガ掃引機能を使用する際のトリガソースをユーザに選択させるようになっている。
【００７１】
ゲートソース選択部６２は、ゲート掃引機能を使用する際のゲートソースをユーザに選択させるようになっている。
【００７２】
ソース設定部６３は、設定情報設定部４３からの制御信号に基づき、トリガソース選択部６１が選択したトリガソースと、ゲートソース選択部６２が選択したゲートソースとのうちの一方を使用できるよう設定するようになっている。
【００７３】
ここで、信号解析装置２に対し、トリガソース及びゲートソースは同時に設定することはできない。すなわち、トリガソースの設定機能とゲートソースの設定機能は互いに排他的な機能である。
【００７４】
図８は、トリガソース選択部６１、ゲートソース選択部６２が、画像表示部３１ｂに表示する選択画面を示している。
【００７５】
図８（ａ）は、トリガソース選択部６１が、画像表示部３１ｂに表示するトリガソースをユーザに選択させるための選択画面の一例であるトリガソース選択画面７１を示している。図示のように、トリガソース選択部６１は、「Ｔｒｉｇｇｅｒ  Ｏｆｆ」、「Ｗｉｄｅ  ＩＦ  Ｖｉｄｅｏ」、「Ｅｘｔｅｒｎａｌ」、「Ｖｉｄｅｏ」の中から１つのトリガソースをユーザに選択させるようになっている。図に示した状態では、「Ｗｉｄｅ  ＩＦ  Ｖｉｄｅｏ」が選択されていることを示している。
【００７６】
図８（ｂ）は、ゲートソース選択部６２が、画像表示部３１ｂに表示するゲートソースをユーザに選択させるための選択画面の一例であるゲートソース選択画面７２を示している。図示のように、ゲートソース選択部６２は、「Ｇａｔｅ  Ｏｆｆ」、「Ｗｉｄｅ  ＩＦ  Ｖｉｄｅｏ」、「Ｅｘｔｅｒｎａｌ」の中から１つのゲートソースをユーザに選択させるようになっている。図に示した状態では、「Ｇａｔｅ  Ｏｆｆ」が選択されていることを示している。
【００７７】
次に、本実施形態において、ＳＷ画像表示部４２が画像表示部３１ｂに表示するスライドトグルスイッチ５０の画像及び動作について図９を用いて説明する。図９は、トリガソースが設定されている状態からゲートソースを設定する状態に変更する場合におけるスライドトグルスイッチ５０の動作説明図である。
【００７８】
まず、初期状態として、トリガ掃引機能を使用する状態になっており、トリガソースとして「Ｗｉｄｅ  ＩＦ  Ｖｉｄｅｏ」が選択されているものとする。この場合、枠内表示部５２内の表示エリア５１ｂに「Ｗｉｄｅ  ＩＦ  Ｖｉｄｅｏ」の文字が表示される（図９（ａ））。ここで、表示エリア５１ｂは、トリガソースが設定されていることを示す色、例えば青色で着色されている。
【００７９】
次に、ユーザが指先でスライドノブ５１ｃをタッチすると、表示エリア５１ｂに「ＴＲＩＧＧＥＲ」の文字が表示される（図９（ｂ））。この表示により、ユーザはトリガ掃引機能が現在使用されていることを容易に認識できる。
【００８０】
続いて、ユーザが指先でスライドノブ５１ｃをタッチした状態で、右方向に移動（ドラッグ）させていくと（図９（ｃ））、スライド部５１（図３参照）が左側から右側に向けて仮想的に移動し、表示エリア５１ａが枠内表示部５２内に現れて、ゲート掃引機能の設定情報を示す「ＧＡＴＥ」の文字が枠内表示部５２内の表示エリア５１ａに表示される（図９（ｄ））。ここで、表示エリア５１ａは、ゲート掃引機能が使用可能な状態を示す色、例えば緑色で着色されている。
【００８１】
ユーザが指先をスライドノブ５１ｃから離すと、背景色は緑色のままで、「ＧＡＴＥ」の文字表示が「Ｇａｔｅ  Ｏｆｆ」の文字表示に変化する（図９（ｅ））。その結果、ユーザは、現在、ゲート掃引機能が使用でき、ゲートソースとして「Ｇａｔｅ  Ｏｆｆ」が設定されていることを容易に認識することができる。
【００８２】
次に、ゲートソースが設定されている状態からトリガソースを設定する状態に変更する場合におけるスライドトグルスイッチ５０の動作を図１０に基づき説明する。
【００８３】
まず、「Ｇａｔｅ  Ｏｆｆ」が設定されているとする（図１０（ａ））。この状態において、ユーザが指先でスライドノブ５１ｃをタッチすると、「Ｇａｔｅ  Ｏｆｆ」という文字表示が「ＧＡＴＥ」の文字表示に変化する（図１０（ｂ））。この場合、「ＧＡＴＥ」の文字の背景色は緑色のままであるが、文字色を図１０（ａ）に示したものとは異なる色にしてもよい。
【００８４】
続いて、ユーザが指先でスライドノブ５１ｃをタッチした状態で、左方向に移動（ドラッグ）させていくと（図１０（ｃ））、スライド部５１（図３参照）が右側から左側に向けて仮想的に移動し、表示エリア５１ｂが枠内表示部５２内に現れて、トリガ掃引機能の設定情報を示す「ＴＲＩＧＧＥＲ」の文字が枠内表示部５２内の表示エリア５１ｂに表示される（図１０（ｄ））。ここで、表示エリア５１ｂは、トリガ掃引機能が使用可能な状態を示す色、例えば青色で着色されている。
【００８５】
ユーザが指先をスライドノブ５１ｃから離すと、背景色は青色のままで、「ＴＲＩＧＧＥＲ」の文字表示が「Ｗｉｄｅ  ＩＦ  Ｖｉｄｅｏ」の文字表示に変化する（図１０（ｅ））。その結果、ユーザは、現在、トリガソースとして「Ｗｉｄｅ  ＩＦ  Ｖｉｄｅｏ」が設定されていることを容易に認識することができる。
【００８６】
次に、本実施形態の信号解析装置２において、トリガソース又はゲートソースの設定における動作について図１１を用いて説明する。
【００８７】
ＳＷ画像表示部４２は、スライドトグルスイッチ５０の画像を画像表示部３１ｂに表示する（ステップＳ２１）。
【００８８】
設定情報設定部４３は、ソース設定部６３を介し、トリガソースの設定情報を設定し、ＳＷ画像表示部４２は、トリガソースの設定情報を枠内表示部５２内の表示エリア５１ｂに表示する（ステップＳ２２）。具体的には、図９（ａ）に示した画像が画像表示部３１ｂに表示される。ここで、表示エリア５１ｂは、トリガ掃引機能が使用可能な状態を示す色である青色で着色されている。
【００８９】
操作検出部４１は、タッチセンサ３２ａの検知結果に基づいてユーザがトリガソースを変更したか否かを判断する（ステップＳ２３）。例えば、操作検出部４１は、画像表示部３１ｂの所定の位置に表示されたトリガソース選択画面７１（図８（ａ）参照）をユーザが操作してトリガソースを変更したか否かを判断する。
【００９０】
ステップＳ２３において、操作検出部４１が、ユーザがトリガソースを変更したと判断しなかった場合は後述のステップＳ２５に進む。
【００９１】
一方、ステップＳ２３において、操作検出部４１が、ユーザがトリガソースを変更したと判断した場合は、設定情報設定部４３は、ソース設定部６３を介し、変更したトリガソースを設定し、ＳＷ画像表示部４２が変更後のトリガソースの設定情報を表示する（ステップＳ２４）。
【００９２】
操作検出部４１は、ユーザがスライドノブ５１ｃをタッチしたか否かを判断する（ステップＳ２５）。ここで、操作検出部４１が、ユーザがスライドノブ５１ｃをタッチしたと判断しなかった場合はステップＳ２２に戻る。
【００９３】
ステップＳ２５において、操作検出部４１は、ユーザがスライドノブ５１ｃをタッチしたと判断した場合は、スライドノブ５１ｃが右方向にドラッグされたか否かを判断する（ステップＳ１６）。ここで、操作検出部４１が、スライドノブ５１ｃが右方向にドラッグされたと判断しなかった場合はステップＳ２５に戻る。
【００９４】
ステップＳ２６において、操作検出部４１が、スライドノブ５１ｃが右方向にドラッグされたと判断した場合は、設定情報設定部４３は、ソース設定部６３を介し、ゲートソースの設定情報を設定し、ＳＷ画像表示部４２は、ゲートソースの設定情報を枠内表示部５２内の表示エリア５１ａに表示する（ステップＳ２７）。
【００９５】
操作検出部４１は、タッチセンサ３２ａの検知結果に基づいてユーザがゲートソースを変更したか否かを判断する（ステップＳ２８）。例えば、操作検出部４１は、画像表示部３１ｂの所定の位置に表示されたゲートソース選択画面７２（図８（ｂ）参照）をユーザが操作してゲートソースを変更したか否かを判断する。
【００９６】
ステップＳ２８において、操作検出部４１が、ユーザがゲートソースを変更したと判断しなかった場合は後述のステップＳ３０に進む。
【００９７】
一方、ステップＳ２８において、操作検出部４１が、ユーザがゲートソースを変更したと判断した場合は、設定情報設定部４３は、ソース設定部６３を介し、変更したゲートソースを設定し、ＳＷ画像表示部４２が変更後のゲートソースの設定情報を表示する（ステップＳ２９）。
【００９８】
操作検出部４１は、ユーザがスライドノブ５１ｃをタッチしたか否かを判断する（ステップＳ３０）。ここで、操作検出部４１が、ユーザがスライドノブ５１ｃをタッチしたと判断しなかった場合はステップＳ２７に戻る。
【００９９】
ステップＳ３０において、操作検出部４１は、ユーザがスライドノブ５１ｃをタッチしたと判断した場合は、スライドノブ５１ｃが左方向にドラッグされたか否かを判断する（ステップＳ３１）。ここで、操作検出部４１が、スライドノブ５１ｃが左方向にドラッグされたと判断しなかった場合はステップＳ３０に戻る。
【０１００】
ステップＳ３１において、操作検出部４１が、スライドノブ５１ｃが左方向にドラッグされたと判断した場合はステップＳ２２に戻る。
【０１０１】
以上のように、本実施形態における信号解析装置２は、ＳＷ画像表示部４２が、互いに排他的な機能であるトリガ掃引機能及びゲート掃引機能の設定情報が表示されたスライド部５１と、スライド部５１に表示されたトリガ掃引機能及びゲート掃引機能の設定情報のいずれか一方を所定の枠内に表示する枠内表示部５２と、を備えたスライドトグルスイッチ５０の画像を表示し、設定情報設定部４３が、トリガ掃引機能及びゲート掃引機能の設定情報のうち枠内表示部５２に表示された設定情報を設定する構成としたので、トリガ掃引機能及びゲート掃引機能の設定情報を切り替えて画面領域内に表示することができる。したがって、本実施形態における信号解析装置２は、限られた画面領域内で複数の機能に関する設定を行うことができる。
【産業上の利用可能性】
【０１０２】
以上のように、本発明に係る電子機器装置及びその機能設定方法は、限られた画面領域内で複数の機能に関する設定を行うことができるという効果を有し、複数の機能を有する電子機器装置及びその機能設定方法として有用である。
【符号の説明】
【０１０３】
１、２  信号解析装置（電子機器装置）
３０  表示装置
３１  表示パネル
３１ａ  信号表示部
３１ｂ  画像表示部
３２  タッチパネル
３２ａ  タッチセンサ
３２ｄ  キーボード
４０  制御装置
４１  操作検出部
４２  ＳＷ画像表示部（切替スイッチ画像表示手段）
４３  設定情報設定部（設定情報設定手段）
４４  ＡＴＴ設定部
５０  スライドトグルスイッチ（切替スイッチ）
５１  スライド部
５１ａ  表示エリア（第１の表示エリア）
５１ｂ  表示エリア（第２の表示エリア）
５１ｃ  スライドノブ
５２  枠内表示部
６０  制御装置
６１  トリガソース選択部
６２  ゲートソース選択部
６３  ソース設定部
７１  トリガソース選択画面
７２  ゲートソース選択画面
【図１】
2014229259.tif 000003
【図２】
2014229259.tif 000004
【図３】
2014229259.tif 000005
【図４】
2014229259.tif 000006
【図５】
2014229259.tif 000007
【図６】
2014229259.tif 000008
【図７】
2014229259.tif 000009
【図８】
2014229259.tif 000010
【図９】
2014229259.tif 000011
【図１０】
2014229259.tif 000012
【図１１】
2014229259.tif 000013